(57)【特許請求の範囲】
【請求項１】
被写体を撮像して第１の映像データを生成する第１の撮像部と、
複数の電子機器と通信し、前記複数の電子機器で生成された第２の映像データ、及び前記第２の映像データの優先度を示す評価情報を受信する第１の通信部と、
前記第１の映像データが示す第１の映像と、前記複数の電子機器の少なくとも一つの電子機器から受信する前記第２の映像データが示す第２の映像と、を合成処理する画像処理部と、
前記画像処理部における前記合成処理を制御する第１の制御部と、を備え、
前記第１の制御部は、前記複数の電子機器のそれぞれから受信する前記評価情報に基づいて、前記合成処理に用いられる前記第２の映像データを提供する、前記複数の電子機器の少なくとも一つの電子機器を選択し、
前記合成処理に用いられる前記第２の映像データを提供する電子機器の数の上限値は、前記第１の通信部を介して通信可能な電子機器の数の上限値よりも小さい、撮像装置。
【請求項２】
被写体を撮像して第１の映像データを生成する第１の撮像部と、
複数の電子機器と通信し、前記複数の電子機器で生成された第２の映像データ、及び前記第２の映像データの優先度を示す評価情報を受信する第１の通信部と、
前記第１の映像データが示す第１の映像と、前記複数の電子機器の少なくとも一つの電子機器から受信する前記第２の映像データが示す第２の映像と、を合成処理する画像処理部と、
前記画像処理部における前記合成処理を制御する第１の制御部と、を備え、
前記第１の制御部は、前記複数の電子機器のそれぞれから受信する前記評価情報に基づいて、前記合成処理に用いられる前記第２の映像データを提供する、前記複数の電子機器の少なくとも一つの電子機器を選択し、
前記第１の通信部は、
前記合成処理に用いられる前記第２の映像データを提供する電子機器からは、前記評価情報と前記第２の映像データを受信し、
前記合成処理に用いられる前記第２の映像データを提供しない電子機器からは、前記評価情報を受信し、前記第２の映像データを受信しない、撮像装置。
【請求項３】
前記評価情報は、前記第２の映像データが示す前記第２の映像中に検出された顔の数、前記少なくとも一つの電子機器で検出された音量、及び前記少なくとも一つの電子機器の傾きの変化量のうちの、少なくとも一つに基づいて算出される、
請求項１又は２記載の撮像装置。
【請求項４】
前記第１の制御部は、前記評価情報が示す優先度が所定値より大きい電子機器を、前記合成処理に用いられる前記第２の映像データを提供する前記電子機器として選択する、請求項１又は２記載の撮像装置。
【請求項５】
前記撮像装置はビデオカメラである、請求項１又は２に記載の撮像装置。
【請求項６】
請求項１又は２に記載の撮像装置に前記第２の映像データを送信する電子機器であって、
被写体を撮像して前記第２の映像データを生成する第２の撮像部と、
前記撮像装置と通信する第２の通信部と、
前記評価情報を算出するとともに、前記撮像装置に対する前記第２の映像データ及び前記評価情報の送信を制御する第２の制御部と、を備え、
前記第２の制御部は、
前記撮像装置から前記第２の映像データの配信開始要求を受けたときは、前記撮像装置に対して、前記第２の映像データ及び前記評価情報を送信し、
その後に前記撮像装置から前記第２の映像データの配信停止要求を受けたときは、前記撮像装置に対して、前記第２の映像データの送信を停止し、前記評価情報を送信する電子機器。
【請求項７】
前記電子機器はスマートフォンである、請求項６記載の電子機器。
【請求項８】
撮像装置と複数の電子機器を含む撮像システムであって、
前記撮像装置は、
被写体を撮像して第１の映像データを生成する第１の撮像部と、
前記複数の電子機器と通信し、前記複数の電子機器で生成された第２の映像データ、及び前記第２の映像データの優先度を示す評価情報を受信する第１の通信部と、
前記第１の映像データが示す第１の映像と、前記複数の電子機器の少なくとも一つの電子機器から受信する前記第２の映像データが示す第２の映像と、を合成処理する画像処理部と、
前記画像処理部における前記合成処理を制御する第１の制御部と、を備え、
前記第１の制御部は、前記複数の電子機器のそれぞれから受信する前記評価情報に基づいて、前記合成処理に用いられる前記第２の映像データを提供する、前記複数の電子機器の少なくとも一つの電子機器を選択し、
前記複数の電子機器の少なくとも一つの電子機器は、前記撮像装置に前記第２の映像データを送信する電子機器であって、
被写体を撮像して前記第２の映像データを生成する第２の撮像部と、
前記撮像装置と通信する第２の通信部と、
前記評価情報を算出するとともに、前記撮像装置に対する前記第２の映像データ及び前記評価情報の送信を制御する第２の制御部と、を備え、
前記第２の制御部は、
前記撮像装置から前記第２の映像データの配信開始要求を受けたときは、前記撮像装置に対して、前記第２の映像データ及び前記評価情報を送信し、
その後に前記撮像装置から前記第２の映像データの配信停止要求を受けたときは、前記撮像装置に対して、前記第２の映像データの送信を停止し、前記評価情報を送信する、撮像システム。
【発明の詳細な説明】
【技術分野】
【０００１】
本開示は、複数の外部機器から映像データを受信し、受信した映像データが示す画像と自機で撮像した画像とを合成した画像を記録可能な撮像装置に関する。
【背景技術】
【０００２】
特許文献１は、複数チャンネルの電子画像を合成する電子カメラを開示している。特許文献１に開示された電子カメラは、撮像部で生成されたメイン電子画像に、取得部で取得されたサブ電子画像を合成する。その際、サブ電子画像は、メイン電子画像のサイズを下回るサイズに調整されて合成される。サブ電子画像において有意な変化が生じたサブシーンを検知する。サブシーンが検知された場合、検知されたサブシーンを表すサブ電子画像のサイズまたは合成態様を変更し、そのサブ電子画像を強調する。これにより、必要且つ十分な情報を観者に伝達し、合成画像の視認性を向上している。
【先行技術文献】
【特許文献】
【０００３】
【特許文献１】特開２０１４−１０７７７５号公報
【特許文献２】特開２００７−１７３９６３号公報
【発明の概要】
【０００４】
本開示は、複数の外部機器から映像データを受信し、受信する映像データが示す画像と、自機で撮像した画像とを合成する画像を、記録可能な撮像装置を提供する。
【０００５】
本開示の第１の態様において、撮像装置が提供される。撮像装置は、被写体を撮像して第１の映像データを生成する第１の撮像部と、複数の電子機器と通信し、複数の電子機器で生成された第２の映像データ、及び第２の映像データの優先度を示す評価情報を受信する第１の通信部と、第１の映像データが示す第１の映像と、複数の電子機器の少なくとも一つの電子機器から受信する第２の映像データが示す第２の映像と、を合成処理する画像処理部と、画像処理部における合成処理を制御する第１の制御部と、を備える。第１の制御部は、複数の電子機器のそれぞれから受信する評価情報に基づいて、合成処理に用いられる第２の映像データを提供する、複数の電子機器の少なくとも一つの電子機器を選択する。
【０００６】
本開示の第２の態様において、上記の撮像装置に第２の映像データを送信する電子機器が提供される。電子機器は、被写体を撮像して第２の映像データを生成する第２の撮像部と、撮像装置と通信する第２の通信部と、評価情報を算出するとともに、撮像装置に対する第２の映像データ及び評価情報の送信を制御する第２の制御部と、を備える。第２の制御部は、撮像装置から第２の映像データの配信開始要求を受けたときは、撮像装置に対して、第２の映像データ及び評価情報を送信し、その後に撮像装置から第２の映像データの配信停止要求を受けたときは、撮像装置に対して、第２の映像データの送信は停止し、評価情報を送信する。
【０００７】
本開示の撮像装置によれば、複数の電子機器から受信した映像の中から、合成に用いる映像を、映像情報の評価情報に基づき自動で設定する。これにより、撮像装置に対して複数の電子機器が接続されている状態における、合成に用いる映像の設定作業において、ユーザの利便性を向上できる。
【図面の簡単な説明】
【０００８】
【図１】図１は、実施の形態１にかかるビデオカメラとスマートフォンとを含む撮像システムの構成を示す図である。
【図２】図２は、実施の形態１にかかるビデオカメラの電気的構成を示す図である。
【図３】図３は、実施の形態１にかかるスマートフォンの電気的構成を示す図である。
【図４】図４は、実施の形態１にかかる、マルチワイプ機能によりビデオカメラの液晶モニタに表示される画像の例を示す図である。
【図５】図５は、実施の形態１にかかる、ビデオカメラ及びスマートフォンで撮像される画像を説明する図である。
【図６】図６は、実施の形態１にかかる、サブカメラの登録動作を説明するための図である。
【図７】図７は、実施の形態１にかかる、サブカメラの登録情報を説明する図である。
【図８】図８は、実施の形態１にかかる、スマートフォンからビデオカメラへ評価情報のみが送信される状態を示す図である。
【図９】図９は、実施の形態１にかかる、スマートフォンからビデオカメラへ評価情報と映像データが送信される状態を示す図である。
【図１０】図１０は、実施の形態１にかかる、ビデオカメラにおける、ワイプ画像に用いる映像データの選択処理を示すフローチャートである。
【図１１】図１１は、実施の形態１にかかる、ワイプ画像の切り替わりを説明する図である。
【図１２】図１２は、実施の形態１にかかる、スマートフォンにおける映像配信処理を示すフローチャートである。
【図１３】図１３は、実施の形態１にかかる、式（１）のパラメータの例を示す図である。
【図１４】図１４は、実施の形態１にかかる、スマートフォンにおける配信許可フラグの設定処理を示すフローチャートである。
【図１５】図１５は、実施の形態１にかかる、ビデオカメラとスマートフォン間の通信シーケンスの一例を示す図である。
【図１６】図１６は、実施の形態１にかかる、ワイプ画像が切り替わる時の、ビデオカメラとスマートフォン間の通信シーケンスの一例を示す図である。
【図１７Ａ】図１７Ａは、実施の形態１にかかる、評価情報に基づいて属性（表示位置）が変更されるワイプ画像を説明する図である。
【図１７Ｂ】図１７Ｂは、実施の形態１にかかる、評価情報に基づいて属性（大きさ）が変更されるワイプ画像を説明する図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者らは、当業者が本開示を十分に理解するために添付図面及び以下の説明を提供するのであって、これらによって請求の範囲に記載の主題を限定することを意図するものではない。
【００１０】
（実施の形態１）
図１は、実施の形態１にかかるビデオカメラ１００とスマートフォン２００ａ、２００ｂ、２００ｃを含む撮像システムの構成を示す図である。ビデオカメラ１００は、複数のスマートフォン２００ａ、２００ｂ、２００ｃと通信を確立することができる。ビデオカメラ１００は、各スマートフォン２００ａ、２００ｂ、２００ｃで生成された映像データ（動画データまたは静止画データ）を受信することができる。ビデオカメラ１００は、自機で撮像した映像データに、複数のスマートフォン２００ａ、２００ｂ、２００ｃの少なくとも１つから受信した映像データを、重畳して記録媒体に記録することができる（マルチワイプ機能（詳細は後述））。
【００１１】
〔１．構成〕
以下、実施の形態１にかかるビデオカメラ１００及びスマートフォン２００ａ、２００ｂ、２００ｃの構成について説明する。なお、以下の説明において、スマートフォン２００ａ、２００ｂ、２００ｃを区別なく説明する場合、スマートフォンに対して符号「２００」を用いる。
【００１２】
〔１−１．ビデオカメラの構成〕
図２は、実施の形態１にかかるビデオカメラ１００の電気的構成を示す図である。ビデオカメラ１００は、光学系１１０を介して形成される被写体像を画像センサ１１５で撮像する。画像センサ１１５は、撮像した被写体像に基づく撮像データ（ＲＡＷデータ）を生成する。画像処理部１２０は、画像センサ１１５により生成された撮像データに対して、各種処理を施して映像データを生成する。コントローラ１３５は、画像処理部１２０にて生成された映像データを、記録媒体１４５に記録する。コントローラ１３５は、画像処理部１２０で処理された映像データを、液晶モニタ１３０上にライブ表示させることができる。コントローラ１３５は、記録媒体１４５に記録された映像データを読み出して液晶モニタ１３０上に表示させること（再生）ができる。
【００１３】
光学系１１０は、フォーカスレンズ、ズームレンズ、光学式手ぶれ補正（Ｏｐｔｉｃａｌ  Ｉｍａｇｅ  Ｓｔａｂｉｌｉｚｅｒ（ＯＩＳ））レンズ、絞り、シャッタ等を含む。光学系１１０に含まれる各種レンズは、何枚から構成されるものであっても、何群から構成されるものであってもよい。光学系１１０に含まれる各種レンズは、レンズ駆動部１１３によって駆動される。
【００１４】
画像センサ１１５は、光学系１１０を介して形成される被写体像を、撮像して撮像データを生成するデバイスである。画像センサ１１５は、所定のフレームレート（例えば、３０フレーム／秒）で、映像データ（動画データ）を生成する。画像センサ１１５における、撮像データの生成タイミング及び電子シャッタ動作は、コントローラ１３５によって制御される。画像センサ１１５は、例えば、ＣＣＤ（Ｃｈａｒｇｅ  Ｃｏｕｐｌｅｄ  Ｄｅｖｉｃｅ）イメージセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサまたはＮＭＯＳ（ｎ−Ｃｈａｎｎｅｌ  Ｍｅｔａｌ  Ｏｘｉｄｅ  Ｓｅｍｉｃｏｎｄｕｃｔｏｒ）イメージセンサで構成される。
【００１５】
画像処理部１２０は、画像センサ１１５から出力される撮像データに対して、各種の処理を施して映像データを生成する回路である。画像処理部１２０は、記録媒体１４５から読み出される映像データに各種の処理を施して、液晶モニタ１３０に表示するための映像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００１６】
液晶モニタ１３０は、例えば、ビデオカメラ１００本体の側面において、開閉可能に取り付けられる筐体に備わる。液晶モニタ１３０は、画像処理部１２０にて処理された映像データに基づく映像を表示する。なお、表示装置として、液晶モニタに代えて、有機ＥＬ（Ｅｌｅｃｔｒｏｌｕｍｉｎｅｓｃｅｎｃｅ）モニタなど、他のモニタを用いてもよい。
【００１７】
コントローラ１３５は、ビデオカメラ１００全体の動作を統括制御する。コントローラ１３５はＣＰＵ（Ｃｅｎｔｒａｌ  Ｐｒｏｃｅｓｓｉｎｇ  Ｕｎｉｔ）またはＭＰＵ（Ｍｉｃｒｏ  Ｐｒｏｃｅｓｓｉｎｇ  Ｕｎｉｔ）を含み、所定のプログラムを実行することで、後述するビデオカメラ１００の機能を実現する。コントローラ１３５は、画像処理部１２０などと共に１つの半導体チップに集積されてもよい。コントローラ１３５は、内部にＲＯＭ（Ｒｅａｄ  Ｏｎｌｙ  Ｍｅｍｏｒｙ）（図示せず）を有している。ＲＯＭには、他の通信機器とのＷｉＦｉ通信を確立するために必要なＳＳＩＤ（Ｓｅｒｖｉｃ  Ｓｅｔ  Ｉｄｅｎｔｉｆｉｅｒ）、ＷＥＰキー（Ｗｉｒｅｄ  Ｅｑｕｉｖａｌｅｎｔ  Ｐｒｉｖａｃｙ  Ｋｅｙ）が記憶されている。コントローラ１３５は、必要に応じて、ＲＯＭからＳＳＩＤ、ＷＥＰキーを読み出すことができる。ＲＯＭには、オートフォーカス制御（ＡＦ（Ａｕｔｏｆｏｃｕｓ）制御）、または、通信制御に関するプログラムの他、ビデオカメラ１００全体の動作を統括制御するためのプログラムが記憶されている。
【００１８】
バッファメモリ１２５は、画像処理部１２０及びコントローラ１３５のワークメモリとして機能する、記録媒体である。バッファメモリ１２５は、ＤＲＡＭ（Ｄｙｎａｍｉｃ  Ｒａｎｄｏｍ  Ａｃｃｅｓｓ  Ｍｅｍｏｒｙ）などにより実現される。
【００１９】
記録制御部１４０は、記録媒体１４５に対する映像データの記録、及び記録媒体１４５からの映像データの再生を制御する。記録媒体１４５は、内部にフラッシュメモリを備えるＳＳＤ（Ｓｏｌｉｄ  Ｓｔａｔｅ  Ｄｒｉｖｅ）である。記録媒体１４５はＳＳＤに代えて、ハードディスク（Ｈａｒｄ  Ｄｉｓｃ  Ｄｒｉｖｅ（ＨＤＤ））または着脱可能なメモリカードで構成されてもよい。記録媒体１４５は、画像処理部１２０で生成される映像データなどを格納できる。
【００２０】
操作部１５０は、使用者による操作を受け付けるユーザインタフェースであり、操作釦、操作レバー、及びタッチパネル等を含む。操作部１５０は、使用者による操作を受け付けると、コントローラ１３５に種々の動作指示信号を通知する。
【００２１】
ＷｉＦｉモジュール１５５は、通信規格ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１に準拠した通信を行う通信モジュール（電子回路）である。ビデオカメラ１００は、ＷｉＦｉモジュール１５５を介して、ＷｉＦｉモジュールを搭載した他の外部機器（例えば、スマートフォン２００ａ、２００ｂ、２００ｃ）と通信することができる。ビデオカメラ１００は、ＷｉＦｉモジュール１５５を介して、外部機器と直接通信を行ってもよいし、アクセスポイント経由で通信を行ってもよい。なお、ＷｉＦｉモジュールに換えて、他の通信規格（例えば、通信規格ＩＥＥＥ８０２．１５．１、すなわち、Ｂｌｕｅｔｏｏｔｈ（登録商標））に準拠した通信を行う通信モジュールを使用しても構わない。ＷｉＦｉモジュール１５５は、所定数（３台以上）の外部機器と通信を確立することができる。
【００２２】
〔１−２．スマートフォンの構成〕
図３は、実施の形態１にかかるスマートフォン２００の電気的構成を示す図である。スマートフォン２００は、画像センサ２０３により、光学系２０１を介して受信する被写体像から、映像データ（動画データ）を生成する。スマートフォン２００は、ＷｉＦｉモジュール２３５を介して、ビデオカメラ１００と通信可能である。スマートフォン２００は、生成される映像データを、ＷｉＦｉモジュール２３５を介して、ビデオカメラ１００に送信することができる。スマートフォン２００は、ジャイロセンサ２５５により、自装置の動き（姿勢の変化）を検出することができる。スマートフォン２００は、マイクロホン２５０により、音声を入力する。入力される音声は音声データに変換される。
【００２３】
画像処理部２０５は、画像センサ２０３で生成される映像データに各種の処理を施して、液晶モニタ２１５に表示するための画像（ライブビュー画像）を生成する。各種処理としては、伸張処理等が挙げられるが、これらに限定されない。画像処理部２０５は、ハードワイヤードな電子回路で構成してもよいし、プログラムを用いるマイクロコンピュータなどで構成してもよい。
【００２４】
タッチパネル２１０は、使用者の指等の接触を検出して、操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００２５】
液晶モニタ２１５は、コントローラ２２５から指示される画面を表示する表示デバイスである。液晶モニタ２１５は、液晶モニタに代えて、他の種類の表示デバイス（例えば、有機ＥＬモニタ）を用いてもよい。
【００２６】
バッファメモリ２２０は、コントローラ２２５が各種処理動作を実行するために必要な情報を、一時的に格納するメモリである。
【００２７】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、及びＷｉＦｉモジュール２３５に電気的に接続されている。コントローラ２２５は、ＣＰＵまたはＭＰＵ、メモリを含む。コントローラ２２５は、所定のプログラム（以下「映像配信アプリケーション」という）を実行することで、後述するスマートフォン２００の機能を実現する。映像配信アプリケーションは、フラッシュメモリ（以下単に「メモリ」という）２４５に格納される。
【００２８】
ＷｉＦｉモジュール２３５は、通信規格ＩＥＥＥ８０２．１１に準拠した通信を行う通信モジュール（回路）である。スマートフォン２００は、ＷｉＦｉモジュール２３５を介して、ＷｉＦｉモジュールを搭載した他の通信機器と通信することができる。スマートフォン２００は、ＷｉＦｉモジュール２３５を介して、他の通信機器と直接通信を行ってもよいし、アクセスポイント経由で通信を行ってもよい。なお、ＷｉＦｉモジュールに換えて、他の通信規格（例えば、通信規格ＩＥＥＥ８０２．１５．１すなわち、Ｂｌｕｅｔｏｏｔｈ（登録商標））に準拠した通信を行う通信モジュールを使用しても構わない。
【００２９】
スマートフォン２００は、ＷｉＦｉモジュール２３５を介して、ビデオカメラ１００と通信可能であり、種々の情報をビデオカメラ１００と送受信することができる。
【００３０】
フラッシュメモリ２４５は、スマートフォン２００で撮影した映像データ等を格納する。
【００３１】
マイクロホン２５０は、スマートフォン２００の外部の音声を、音声信号に変換する。ジャイロセンサ２５５はスマートフォン２００の動き（角加速度）を計測するためのセンサである。スマートフォン２００は、これらの他に、スマートフォン２００の加速度を検出する加速度センサ、及びＧＰＳ（Ｇｌｏｂａｌ  Ｐｏｓｉｔｉｏｎｉｎｇ  Ｓｙｓｔｅｍ）衛星の少なくとも一方から、測位信号を受信して、ビデオカメラ１００の位置を測定するＧＰＳモジュールを備えても良い。
【００３２】
〔２．動作〕
〔２．１  マルチワイプ機能〕
以下、マルチワイプ機能について説明する。ビデオカメラ１００は、複数の外部の電子機器（以下「外部機器」という）をサブカメラとして使用することができる。ビデオカメラ１００は、複数の外部機器で撮影した映像（動画）を各外部機器から受信し、ビデオカメラ１００で撮影した映像（動画）の一部の領域に重畳（合成）して表示、記録することができる。この機能を「マルチワイプ機能」という。なお、本実施の形態では、サブカメラの例としてスマートフォンを使用する。
【００３３】
ビデオカメラ１００は、スマートフォン２００ａ、２００ｂ、２００ｃとＷｉＦｉモジュール１５５を介して、ＷｉＦｉ通信を行うことができる。マルチワイプ機能実行時において、ビデオカメラ１００は、スマートフォン２００ａ、２００ｂ、２００ｃから、スマートフォン２００ａ、２００ｂ、２００ｃで撮影した画像を示す映像データ（動画データ）を受信する。そして、ビデオカメラ１００は、ビデオカメラ１００自体で撮影した映像（動画）の一部にスマートフォン２００ａ、２００ｂ、２００ｃから受信した映像（動画）を重畳（合成）した画像を生成し、液晶モニタ１３０に表示する（スルー画像）とともに、ユーザ操作にしたがい、記録媒体１４５に記録する。
【００３４】
図４は、実施の形態１にかかる、マルチワイプ機能によりビデオカメラ１００の液晶モニタ１３０に表示される画像の例を示す図である。図４に示すように、ビデオカメラ１００で撮影した映像（以下「メイン画像」という）３００に、スマートフォン２００ａ、２００ｂから受信される映像が、それぞれワイプ画像３０１、３０２として重畳（合成）される。ここで、本実施の形態のビデオカメラ１００は、マルチワイプ機能において、メイン画像に合成されるワイプ画像の数の上限値が設定されている。本実施の形態では、図４に示すように、上限値は「２」（一例）に設定されている。
【００３５】
図５は、実施の形態１にかかる、ビデオカメラ１００及びスマートフォン２００ａ、２００ｂ、２００ｃで撮像される画像を説明する図である。ビデオカメラ１００は、被写体を撮影して、画像３００ａを示す映像データを生成する。スマートフォン２００ａは画像３０１ａを示す映像データを生成する。スマートフォン２００ｂは画像３０２ａを示す映像データを生成する。スマートフォン２００ｃは画像３０３ａを示す映像データを生成する。ビデオカメラ１００は、スマートフォン２００ａ及び２００ｂから、画像３０１ａ、３０２ａをそれぞれ示す映像データを受信する。ここで、ビデオカメラ１００は、スマートフォン２００ｃからは映像データを受信しない。これは、マルチワイプ機能において、メイン画像に重畳されるワイプ画像の数の上限値が「２」に制限されているためである。ビデオカメラ１００は、ビデオカメラ１００で撮影される画像３００ａに対して、スマートフォン２００ａ、２００ｂから受信する映像データが示す画像３０１ａ、３０２ａをワイプ画像として合成（重畳）する。これにより、図４に示すような、メイン画像３００にワイプ画像３０１、３０２が合成される合成画像が生成される。この合成画像は、ビデオカメラ１００の液晶モニタ１３０に表示される。図４に示す状態で、ビデオカメラ１００において、ユーザにより動画記録の開始を指示する所定の操作がなされると、メイン画像３００にワイプ画像３０１、３０２が合成（重畳）される状態で、動画が記録される。
【００３６】
本実施の形態のビデオカメラ１００は、マルチワイプ機能のための、サブカメラとして使用する外部機器を予め登録している。図６は、実施の形態１にかかる、サブカメラの登録動作を説明するための図である。図６において、画面１３１は、ビデオカメラ１００の液晶モニタ１３０に表示される設定画面の一例である。ビデオカメラ１００の操作部１５０において、所定の操作（例えば、所定ボタンの押下）を行うことで、設定画面１３１が表示される。設定画面１３１において、種々の機能を設定するための複数のアイコンが表示される。設定画面１３１上で、ユーザによりマルチワイプ機能設定用のアイコン１３１ａが選択されると、登録画面１３２が表示される。ユーザは、登録画面１３２において、マルチワイプ機能におけるサブカメラとして使用される、外部機器を登録することができる。登録画面１３２上では、ユーザは、登録する外部機器の機器名を入力する。登録画面１３２上での登録が完了すると、サブカメラ登録情報が生成（または更新）される。図７は、実施の形態１にかかる、サブカメラの登録情報を説明する図である。サブカメラの登録情報は、サブカメラとして登録される外部機器の機器名を管理する。サブカメラの登録情報は、ビデオカメラ１００内の記録媒体１４５に格納される。図６と図７の例では、サブカメラとして、スマートフォン２００ａ、２００ｂ、２００ｃ（機器名：ｓｍａｒｔ＿ｐｈｏｎｅ＿ａ，  ｓｍａｒｔ＿ｐｈｏｎｅ＿ｂ，  ｓｍａｒｔ＿ｐｈｏｎｅ＿ｃ）が登録されている。
【００３７】
本実施の形態のビデオカメラ１００において、マルチワイプ機能のための、サブカメラとして登録可能な機器の数の上限値が設定されている。本実施の形態では、この上限値は一例として「３」に設定される。
【００３８】
〔２．２  ワイプ画像の選択〕
前述のように、本実施の形態では、ビデオカメラ１００において、サブカメラとして、３台までの外部機器を登録することができる。ビデオカメラ１００は、ＷｉＦｉモジュール１５５を介して、同時に３台以上の外部機器と通信を確立することができる。マルチワイプ機能において、メイン画像に合成されるワイプ画像の数の上限値は「２」に設定されている。
【００３９】
このため、３台以上の登録済みのスマートフォン２００（外部機器）がビデオカメラ１００と接続された場合、３台以上のスマートフォン２００の中から、ワイプ画像として使用される映像データを提供する、２台のスマートフォン２００を決定する必要がある。
【００４０】
そこで、本実施の形態のビデオカメラ１００は、各スマートフォン２００から、映像データの優先度を示す評価情報（詳細は後述）を受信する。ビデオカメラ１００は、その評価情報に基づいて、合成に用いる映像データ（換言すれば、合成に用いる映像データを提供するスマートフォン）を選択する。このように、ビデオカメラ１００は、ワイプ画像として使用される映像データ（すなわち、その映像データの提供先）を自動で選択する。したがって、ユーザは、ワイプ画像として用いる映像の選択作業を行う必要がなく、利便性が向上する。
【００４１】
〔２．３  ビデオカメラにおけるワイプ画像に用いられる映像の選択動作〕
図８と図９を用いて、ビデオカメラ１００におけるワイプ画像に用いられる、映像の選択動作の概要を説明する。図８は、実施の形態１にかかる、スマートフォン２００ａ、２００ｂ、２００ｃからビデオカメラ１００へ評価情報のみが送信される状態を示す図である。図９は、実施の形態１にかかる、スマートフォン２００ａ、２００ｂ、２００ｃからビデオカメラ１００へ評価情報と映像データが送信される状態を示す図である。
【００４２】
ビデオカメラ１００と、３台のスマートフォン２００ａ、２００ｂ、２００ｃとの間で通信接続が確立されると、図８に示すように、ビデオカメラ１００は、スマートフォン２００ａ、２００ｂ、２００ｃから、まず評価情報を受信する。このとき、ビデオカメラ１００は、スマートフォン２００ａ、２００ｂ、２００ｃから映像データを受信しない。ビデオカメラ１００は、スマートフォン２００ａ、２００ｂ、２００ｃから受信した評価情報に基づいて、いずれのスマートフォン２００からの映像をワイプ画像として使用するかを選択する。
【００４３】
次に、ビデオカメラ１００は、選択された映像を提供するスマートフォン２００ａ、２００ｂに対して、映像データの配信を指示する映像配信要求を送信する。映像配信要求を受信するスマートフォン２００ａ、２００ｂはそれぞれ、図９に示すように、ビデオカメラ１００に対して、評価情報とともに、映像データを送信する。一方、映像配信要求を受信しないスマートフォン２００ｃは、ビデオカメラ１００に対して、映像データを送信せずに、評価情報のみを送信する（図９を参照）。このように、ビデオカメラ１００は、ワイプ画像のための映像の提供を受けないスマートフォンから、映像データを受信しない。これにより、多数のスマートフォン２００から同時に映像データを受信する場合に生じる、通信帯域の不足を抑制し、ビデオカメラ１００において、受信する映像データを再生する場合に発生し得る、コマ落ちまたは遅延、画質の劣化を低減することができる。
【００４４】
その後、ビデオカメラ１００は、スマートフォン２００から受信する映像データが示す画像３０１、３０２をワイプ画像として、メイン画像３００に合成する。合成された画像の映像データは、液晶モニタ１３０に表示されるとともに、ユーザの指示に応じて記録媒体１４５に記録される。
【００４５】
以後、ビデオカメラ１００は、スマートフォン２００ａ、２００ｂ、２００ｃから受信する評価情報に基づいて、映像データを受信するスマートフォン２００を決定し、評価情報（すなわち、優先度）の高いスマートフォンからの映像をワイプ画像として使用するように、スマートフォン２００に対して映像配信を許可する。これにより、ワイプ画像数の上限値より多い台数のスマートフォン２００が、ビデオカメラ１００に接続されている場合であっても、ワイプ画像として使用する映像データ（すなわち、その映像データを提供するスマートフォン２００）が自動で設定されるため、ユーザの利便性が向上する。
【００４６】
図１０は、実施の形態１にかかる、ビデオカメラ１００における、ワイプ画像に用いる映像データの選択動作を示すフローチャートである。図１０を参照し、ビデオカメラ１００における、ワイプ画像に用いる映像データの選択動作の詳細を説明する。
【００４７】
ビデオカメラ１００のコントローラ１３５は、ＷｉＦｉ通信において、接続可能なスマートフォン２００を検出すると、検出されたスマートフォンに対して、ＷｉＦｉ規格にしたがい、接続処理（すなわち、ＷｉＦｉ通信の確立）を行う（ステップＳ１１）。このため、ビデオカメラ１００は、接続すべきスマートフォン２００に対して、ＷｉＦｉ通信での接続に必要な接続情報（ＳＳＩＤ、ＷＥＰキー等）を、事前に記録媒体１４５に保持している。
【００４８】
スマートフォン２００との接続処理（ステップＳ１１）が完了すると、ビデオカメラ１００のコントローラ１３５は、接続されるスマートフォン２００から、各スマートフォン２００内で算出された優先度を示す評価情報を受信する（ステップＳ１２）。この時点では、ビデオカメラ１００は、各スマートフォン２００から評価情報のみを受信し、各スマートフォン２００で撮像された映像データを受信しない（図８を参照）。
【００４９】
接続されるスマートフォン２００から評価情報を受信すると（ステップＳ１２でＹ）、コントローラ１３５は、スマートフォン２００から受信する評価情報に基づき、各スマートフォン２００から受信する映像データの中のいずれの映像データを、ワイプ画像として使用するかを決定する（ステップＳ１３）。具体的には、コントローラ１３５は、各スマートフォン２００の評価情報が示す優先度を比較し、優先度の高い方から２台のスマートフォン２００を特定する。コントローラ１３５は、特定されたスマートフォンからの映像データを、ワイプ画像に使用する映像データとして選択する。
【００５０】
コントローラ１３５は、選択結果にしたがい、ワイプ画像に使用する映像データとして選択される映像データを提供するスマートフォン２００に対して、映像の配信の開始を指示する映像配信開始要求を送信する（ステップＳ１４）。スマートフォン２００は、ビデオカメラ１００から映像配信開始要求を受信すると、評価情報に加えて、映像データのビデオカメラ１００への送信を開始する。
【００５１】
その後、コントローラ１３５は、定期的に各スマートフォン２００から評価情報を受信する（ステップＳ１５）。コントローラ１３５は、受信する評価情報に基づいて、各スマートフォン２００から受信する映像データが示す映像の中から、ワイプ画像として使用する映像を選択する（ステップＳ１６）。すなわち、コントローラ１３５は、各スマートフォン２００から受信する評価情報に基づいて、ワイプ画像として使用する映像を提供するスマートフォンを設定（選択）している。
【００５２】
選択した結果、コントローラ１３５は、ワイプ画像として使用する映像の選択に変更があった場合（ステップＳ１７でＹ）、変更に関連するスマートフォン２００に対して、映像配信の開始を指示する映像配信開始要求と、映像配信の停止を指示する映像配信停止要求をそれぞれ送信する（ステップＳ１８）。
【００５３】
図１１は、実施の形態１にかかる、ワイプ画像の切り替わりを説明する図である。例えば、図１１の（Ａ）に示すように、最初、スマートフォン２００ａからの画像３０１と、スマートフォン２００ｂからの画像３０２とがワイプ画像として選択されているとする。この状態において、スマートフォン２００ｃからの評価情報が示す値（優先度）が、スマートフォン２００ｂからの評価情報が示す値よりも高くなる場合、スマートフォン２００ｃからの画像３０３が新たにワイプ画像として選択される。このため、スマートフォン２００ｂからの画像３０２は、ワイプ画像として選択されなくなる。このとき、コントローラ１３５は、スマートフォン２００ｃに対して映像配信開始要求を送信するとともに、スマートフォン２００ｂに対して映像配信停止要求を送信する。これにより、スマートフォン２００ｃは映像データの配信を開始し、スマートフォン２００ｂは映像データの配信を停止する。このとき、ビデオカメラ１００により生成される合成画像は、図１１の（Ａ）に示す画像から図１１の（Ｂ）に示す画像に変更される。
【００５４】
〔２．３  スマートフォンにおける映像配信動作〕
図１２は、実施の形態１にかかる、スマートフォン２００における映像配信処理を示すフローチャートである。図１２を用いて、スマートフォン２００における映像配信処理を説明する。
【００５５】
スマートフォン２００のコントローラ２２５は、ビデオカメラ１００との通信接続処理が確立されると（ステップＳ２１）、ビデオカメラ１００に送信する映像データに関する優先度を示す評価情報を算出する（ステップＳ２２）。
【００５６】
ここで、優先度とは、スマートフォン２００から送信される映像データを、ワイプ画像として、使用するときの優先順位を示す値である。優先度は種々の条件を考慮して算出される。種々の条件には、例えば、以下の条件が含まれる。
【００５７】
・人物の顔（人物の顔が含まれる映像を優先的にワイプ画像に使用する）
・被写体の変化（映像の動き、カメラの動き）（被写体の変化のある映像を、変化のない映像よりも、優先的にワイプ画像に使用する）
・音声の変化（音声の変化のある映像を、変化のない映像よりも、優先的にワイプ画像に使用する）
本実施の形態では、人物の顔を含む映像の点数が高くなるように、優先度を算出する。このとき、優先度を、例えば、下記の式で算出することができる。
【００５８】
優先度＝（Ｆｎ×α）＋（Ｖｎ×β）＋｛（１−Ｊｎ）×γ｝        （１）
ここで、Ｆｎは、顔検出機能により検出される顔の数である。Ｖｎは、マイクロホン２５０で収音される音声の音量（音声信号の振幅）である。Ｊｎは、ジャイロセンサ２５５により検出されるスマートフォンの傾きの変化量である。α、β、γは係数であり、例えば、α＝６０、β＝１５、γ＝２０に設定される。
【００５９】
式（１）では、顔検出機能により検出される顔の数（Ｆｎ）、マイクロホンを介して入力した音声の音量（Ｖｎ）、スマートフォンの動き（傾きの変化量）（Ｊｎ）をそれぞれ、パラメータとして用いる。式（１）では、人物の顔を含む映像を、より優先して値を算出するために、顔検出に関するパラメータＦｎに対する係数αを、他の係数β、γよりも大きくしている。
【００６０】
図１３は、実施の形態１にかかる、式（１）のパラメータの例を示す図である。各パラメータの値は、０〜１．０の間の値をとるように設定される。検出される顔の数を示すパラメータＦｎは、例えば、複数人の顔が検出されることを優先する場合、検出される人数が多いほど、その値が大きくなるように（上限値あり）設定される。また、一人の顔が検出されたことを優先する場合、検出される人数が「一人」に近いほど、Ｆｎが大きくなるように設定される。
【００６１】
なお、上記に示す優先度の計算式は一例であり、式（１）に限定されない。式（１）は、人物の顔を含む映像を優先的にワイプ画像として表示させるために、優先度を算出する式であるが、映像の変化を優先させる式としてもよい。この場合は、優先度を算出するためのパラメータとして、映像データの変化を示すパラメータ（スマートフォンの位置の変化を示す情報（加速度センサ、ジャイロセンサの検出結果）、動きベクトル等）を設定すればよい。
【００６２】
すなわち、優先度の計算式においては、条件に応じて適宜パラメータを設定することができる。例えば、優先度を、上記の３つのパラメータのうちのいずれか１つのパラメータのみに基づいて算出してもよいし、３つのパラメータを任意に組み合わせて算出してもよい。または、上記の３つのパラメータに加えて、または、それらに代えて、他のパラメータ（被写体の動き等）を用いて優先度を算出してもよい。
【００６３】
図１２において、評価情報の算出（ステップＳ２２）後、スマートフォン２００のコントローラ２２５は、配信許可フラグが「ＯＮ」に設定されているか否かを判断する（ステップＳ２３）。ここで、配信許可フラグとは、スマートフォン２００が、ビデオカメラ１００から映像データの配信が許可（要求）されている状態にあるか否か、を示すフラグである。配信許可フラグは、ビデオカメラ１００から映像データの配信が許可（要求）されている場合、「ＯＮ」に設定され、ビデオカメラ１００から映像データの配信が許可（要求）されていない場合、「ＯＦＦ」に設定される。配信フラグの設定処理については、後述する。
【００６４】
配信許可フラグが「ＯＮ」に設定されている場合（ステップＳ２３でＹ）、コントローラ２２５は、評価情報とともに、自装置内で撮像した映像データを、ビデオカメラ１００に送信する（ステップＳ２４）。一方、配信許可フラグが「ＯＦＦ」に設定されている場合（ステップＳ２３でＮ）、コントローラ２２５は、映像データを送信せず、評価情報のみをビデオカメラ１００に送信する（ステップＳ２５）。
【００６５】
図１４は、実施の形態１にかかる、スマートフォン２００における配信許可フラグの設定処理を示すフローチャートである。図１４を用いて、配信許可フラグの設定処理について説明する。
【００６６】
スマートフォン２００のコントローラ２２５は、配信許可フラグを最初「ＯＦＦ」に設定（初期化）する（ステップＳ３０）。その後、コントローラ２２５は、ビデオカメラ１００から映像配信開始要求を受信したときに（ステップＳ３１でＹ）、配信許可フラグを「ＯＮ」に設定する（ステップＳ３２）。また、コントローラ２２５は、ビデオカメラ１００から映像配信停止要求を受信したときに（ステップＳ３３でＹ）、配信許可フラグを「ＯＦＦ」に設定する（ステップＳ３４）。以上のように、映像配信開始要求及び映像配信停止要求の受信にしたがい、配信許可フラグが設定される。
【００６７】
図１５、図１６、図１７Ａ、図１７Ｂは、ビデオカメラ１００とスマートフォン２００間の通信シーケンスを説明する図である。
【００６８】
図１５は、実施の形態１にかかる、ビデオカメラ１００とスマートフォン２００ａ、２００ｂ、２００ｃ間の通信シーケンスの一例を示す図である。図１５は、ビデオカメラ１００とスマートフォン２００ａ、２００ｂ、２００ｃ間の接続直後の通信を示す。図１５の例は、ビデオカメラ１００とスマートフォン２００ａ、２００ｂ、２００ｃ間の通信接続確立後、ビデオカメラ１００からスマートフォン２００ａ、２００ｂには映像配信開始要求が送信され、スマートフォン２００ｃには映像配信開始要求が送信されない場合である（図９を参照）。この場合、映像配信開始要求を受信したスマートフォン２００ａ、２００ｂは、ビデオカメラ１００に対して映像データ及び評価情報を送信する。一方、映像配信開始要求を受信しなかったスマートフォン２００ｃは、ビデオカメラ１００に対して、映像データを送信せず、評価情報のみを送信する。
【００６９】
図１６は、実施の形態１にかかる、ワイプ画像が切り替わる時の、ビデオカメラとスマートフォン間の通信シーケンスの一例を示す図である。図１６において、最初、スマートフォン２００ａからの映像と、スマートフォン２００ｂからの映像とが、ワイプ画像に使用される映像として選択されている。この場合、ワイプ画像に使用される映像の１つが、スマートフォン２００ｂからの映像から、スマートフォン２００ｃからの映像に切り替わる。
【００７０】
ビデオカメラ１００は、スマートフォン２００ａ、２００ｂ、２００ｃから受信した評価情報に基づき、ワイプ画像として使用する映像の１つを、スマートフォン２００ｂからの映像から、スマートフォン２００ｃからの映像に切り替える。このため、ビデオカメラ１００は、スマートフォン２００ｂに対して、映像配信の停止を指示する映像配信停止要求を送信するとともに、スマートフォン２００ｃに対して、映像配信要求を送信する。
【００７１】
スマートフォン２００ｂは、映像配信停止要求を受信すると、映像データの配信を停止し、以後は評価情報のみをビデオカメラ１００に送信する。一方、スマートフォン２００ｃは、映像配信要求を受信すると、映像データと評価情報をビデオカメラ１００に送信する。これにより、ワイプ画像の１つが、スマートフォン２００ｂからの映像から、スマートフォン２００ｃからの映像に切り替えられる。
【００７２】
〔２．４  ワイプ画像の属性変更〕
図１７Ａは、実施の形態１にかかる、評価情報に基づいて属性（表示位置）が変更されるワイプ画像を説明する図である。図１７Ｂは、実施の形態１にかかる、評価情報に基づいて属性（大きさ）が変更されるワイプ画像を説明する図である。コントローラ１３５は、評価情報が示す優先度の値に基づき、メイン画像に合成して表示するワイプ画像の属性を変化させてもよい。例えば、コントローラ１３５は、図１７Ａに示すように、評価情報が示す優先度の値が低くなるほど、ワイプ画像３０５の表示位置を右側に移動させてもよい。コントローラ１３５は、図１７Ｂに示すように、評価情報が示す優先度の値が高くなるほど、ワイプ画像３０５のサイズを大きくしてもよい。
【００７３】
〔３．効果、等〕
以上のように、本実施の形態のビデオカメラ１００（撮像装置の一例）は、被写体を撮像して映像データ（第１の映像データの一例）を生成する画像センサ１１５（第１の撮像部の一例）と、複数のスマートフォン２００（電子機器の一例）と通信し、各スマートフォン２００で生成された映像データ（第２の映像データの一例）及びその映像データの優先度を示す評価情報を受信するＷｉＦｉモジュール１５５（第１の通信部の一例）と、生成された映像データが示す映像と、ワイプ画像として、複数のスマートフォン２００の少なくとも一つから受信する映像データが示す映像と、を合成処理する画像処理部１２０（画像処理部の一例）と、画像処理部１２０における合成処理を制御するコントローラ１３５（第１の制御部の一例）と、を備える。コントローラ１３５は、複数のスマートフォン２００のそれぞれから受信する評価情報に基づいて、合成処理に用いられる映像データを提供する、スマートフォンを選択する。
【００７４】
本実施の形態のスマートフォン２００は、ビデオカメラ１００に映像データを送信する電子機器である。スマートフォン２００は、被写体を撮像して映像データ（第２の映像データの一例）を生成する画像センサ２０３（第２の撮像部の一例）と、ビデオカメラ１００と通信するＷｉＦｉモジュール２３５（第２の通信部の一例）と、評価情報を算出するとともに、ビデオカメラ１００に対する映像データ及び評価情報の送信を制御するコントローラ２２５（第２の制御部の一例）と、を備える。コントローラ２２５は、ビデオカメラ１００から映像データの配信開始要求を受けたときは、ビデオカメラ１００に対して、映像データ及び評価情報を送信する。その後にビデオカメラ１００から映像データの配信停止要求を受けたときは、コントローラ２２５は、ビデオカメラ１００に対して、映像データの送信は停止し、評価情報を送信する。
【００７５】
以上の構成により、ビデオカメラ１００は、各スマートフォン２００から受信する映像の中から、ワイプ画像として用いる映像を、評価情報に基づき、自動で設定する。これにより、ビデオカメラ１００に対して、複数のスマートフォン２００が接続されている状態において、ワイプ画像が自動で設定され、ユーザの利便性が向上する。
【００７６】
ここで、評価情報は、映像データが示す映像中に検出された顔の数、少なくとも一つのスマートフォン２００で検出された音量、及び少なくとも一つのスマートフォン２００の傾きの変化量のうちの、少なくとも一つに基づいて算出されてもよい。
【００７７】
合成処理に用いられる映像データを提供するスマートフォン２００の数の上限値は、ＷｉＦｉモジュール１５５を介して通信可能なスマートフォン２００の数の上限値よりも小さければよい。
【００７８】
コントローラ１３５は、評価情報が示す優先度が所定値より大きいスマートフォン２００を、合成処理に用いられる映像データを提供するスマートフォン２００として選択すればよい。
【００７９】
また、ＷｉＦｉモジュール１５５は、合成処理に用いられる映像データを提供するスマートフォン２００からは評価情報と映像データを受信し、合成処理に用いられる映像データを提供しないスマートフォン２００からは、評価情報を受信するが、映像データを受信しない。これにより、ビデオカメラ１００とスマートフォン２００間の通信帯域不足を抑制し、ビデオカメラ１００において、受信した映像データを再生する場合に発生し得るコマ落ちや遅延、画質の劣化を低減することができる。
【００８０】
また、本実施の形態の撮像システムは、ビデオカメラ１００とスマートフォン２００とを含む。
【００８１】
〔他の実施の形態〕
本開示は、上記実施の形態に限定されず、種々の実施の形態が考えられる。以下、他の実施の形態についてまとめて記載する。
【００８２】
実施の形態１では、スマートフォン２００において、評価情報（優先度）を算出したが、評価情報をビデオカメラ１００で算出してもよい。この場合、スマートフォン２００は、評価情報を送信する代わりに、評価情報（優先度）の算出に用いる情報を、ビデオカメラ１００に送信すればよい。例えば、スマートフォン２００は、スマートフォン２００において検出する顔検出の結果、音量、ジャイロセンサによる検出結果、等をビデオカメラ１００に送信すればよい。ビデオカメラ１００は各スマートフォン２００から受信した情報に基づき、各スマートフォン２００に対する評価情報（優先度）を算出すればよい。
【００８３】
実施の形態１では、ワイプ画像として表示する映像を提供する電子機器として、スマートフォンを用いたが、他の電子機器でもよい。すなわち、ビデオカメラ１００と通信が可能であり、映像データを送信可能な電子機器であれば、様々な電子機器（例えば、ビデオカメラ、デジタルカメラ、携帯電話、タブレット端末、カメラ付きパーソナルコンピュータ）をサブカメラとして使用できる。
【００８４】
ビデオカメラ１００は、光学系１１０及び画像センサ１１５を含むメインの撮像部（メインカメラ）に加えて、サブの撮像部（サブカメラ）をさらに備えても良い。この場合、ビデオカメラ１００は、スマートフォン２００から受信する映像と、サブの撮像部（サブカメラ）で撮影する映像との中から、ワイプ画像として表示する映像を、上記の制御にしたがい選択してもよい。
【００８５】
実施の形態１では、サブカメラとして登録可能な機器の数の上限値を「３」とし、ビデオカメラ１００において表示され得るワイプ画像の最大数を「２」としたが、これらの数値は一例である。これらの数値は、システムの用途または制約に応じて、適宜設定することができる。
【００８６】
実施の形態１では、ビデオカメラ１００のコントローラ１３５及びスマートフォン２００のコントローラ２２５は、プログラムを実行するＣＰＵまたはＭＰＵを含む構成とした。しかし、コントローラ１３５及びコントローラ２２５は、ハードワイヤードな電子回路で構成してもよいし、マイクロコンピュータなどで構成してもよい。すなわち、コントローラ１３５及びコントローラ２２５は、ＣＰＵ、ＭＰＵ、ＤＳＵ（Ｄｉｇｉｔａｌ  Ｓｅｒｖｉｃｅ  Ｕｎｉｔ）、ＦＰＧＡ（Ｆｉｅｌｄ−ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはマイクロコンピュータ等で構成できる。
【００８７】
以上のように、本開示における技術の例示として、実施の形態を説明した。そのために、添付図面及び詳細な説明を提供した。
【００８８】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８９】
また、上述の実施の形態は、本開示における技術を例示するためのものであるから、請求の範囲またはその均等の範囲において、種々の変更、置き換え、付加、省略などを行うことができる。
【産業上の利用可能性】
【００９０】
本開示は、複数の外部機器から映像データを受信し、受信する映像データが示す画像と、自機で撮像した画像とを合成する画像を、記録可能な撮像装置（例えば、ビデオカメラ）に対して有用である。
【符号の説明】
【００９１】
１００    ビデオカメラ
１１０    光学系
１１３    レンズ駆動部
１１５    画像センサ
１２０    画像処理部
１２５    バッファメモリ
１３０    液晶モニタ
１３１    設定画面
１３１ａ    アイコン
１３２    登録画面
１３５    コントローラ
１４０    記録制御部
１４５    記録媒体
１５０    操作部
１５５    ＷｉＦｉモジュール
２００，２００ａ，２００ｂ，２００ｃ    スマートフォン
２０１    光学系
２０３    画像センサ
２０５    画像処理部
２１０    タッチパネル
２１５    液晶モニタ
２２０    バッファメモリ
２２５    コントローラ
２３０    操作部
２３５    ＷｉＦｉモジュール
２４５    フラッシュメモリ
２５０    マイクロホン
３００    メイン画像
３００ａ    画像
３０１，３０１ａ，３０２，３０２ａ，３０３，３０３ａ    画像
３０５    ワイプ画像
【図１】
0006754953.tif 000002
【図２】
0006754953.tif 000003
【図３】
0006754953.tif 000004
【図４】
0006754953.tif 000005
【図５】
0006754953.tif 000006
【図６】
0006754953.tif 000007
【図７】
0006754953.tif 000008
【図８】
0006754953.tif 000009
【図９】
0006754953.tif 000010
【図１０】
0006754953.tif 000011
【図１１】
0006754953.tif 000012
【図１２】
0006754953.tif 000013
【図１３】
0006754953.tif 000014
【図１４】
0006754953.tif 000015
【図１５】
0006754953.tif 000016
【図１６】
0006754953.tif 000017
【図１７Ａ】
0006754953.tif 000018
【図１７Ｂ】
0006754953.tif 000019